(57)【要約】【課題】比較的薄暗い場所であっても、比較的明るい場所であっても、天然の顕花植物の装飾性を比較的簡単にかつ比較的安価に高めることができる、装飾された天然の顕花植物を提供する。【解決手段】天然の顕花植物が付けている天然の花の花弁２３の内側表面および外側表面のうちの少なくとも一方の表面に取り付けられている多数個の模造宝玉１５を備えている。模造宝玉１５の取り付け個数は、花弁２３を平面的に展開した状態において、花弁２３の上記少なくとも一方の表面全体における単位面積１００ｃｍ２当たり４〜３６個（さらに好ましくは、１０〜１８個）の範囲である。【選択図】図３
0003148583.tif 000002
【実用新案登録請求の範囲】
【請求項１】
天然の花を付けている天然の顕花植物と、
上記天然の花の花弁の内側表面および外側表面のうちの少なくとも一方の表面に取り付けられている多数個の模造宝玉とを備え、
上記模造宝玉の取り付け個数は、上記花弁を平面的に展開した状態において、上記花弁の上記少なくとも一方の表面全体における単位面積１００ｃｍ２当たり４〜３６個の範囲であることを特徴とする、装飾された天然の顕花植物。
【請求項２】
上記模造宝玉の取り付け個数は、上記花弁を平面的に展開した状態において、上記花弁の上記少なくとも一方の表面全体における単位面積１００ｃｍ２当たり１０〜１８個の範囲であることを特徴とする、請求項１に記載の、装飾された天然の顕花植物。
【請求項３】
天然の花を付けている天然の顕花植物と、
上記天然の花の花弁の内側表面および外側表面のうちの少なくとも一方の表面に取り付けられている多数個の模造宝玉とを備え、
上記模造宝玉の取り付け個数は、上記花弁を平面的に展開した状態において、上記花弁の基端側の部分を除く上記少なくとも一方の表面全体における単位面積１００ｃｍ２当たり５〜４５個の範囲であることを特徴とする、装飾された天然の顕花植物。
【請求項４】
上記模造宝玉の取り付け個数は、上記花弁を平面的に展開した状態において、上記花弁の上記基端側の部分を除く上記少なくとも一方の表面全体における単位面積１００ｃｍ２当たり１２〜２０個の範囲であることを特徴とする、請求項３に記載の、装飾された天然の顕花植物。
【請求項５】
上記模造宝玉がラインストーンであることを特徴とする、請求項１〜４のうちのいずれか１つに記載の、装飾された天然の顕花植物。
【請求項６】
上記天然の顕花植物が生け花用の切り花であることを特徴とする、請求項１〜５のうちのいずれか１つに記載の、装飾された天然の顕花植物。
【考案の詳細な説明】
【技術分野】
【０００１】
本考案は、天然の花を付けている天然の顕花植物（換言すれば、天然の被子植物）の装飾性をさらに高めることによって得られる、装飾された天然の顕花植物に関するものである。
【背景技術】
【０００２】
天然の顕花植物としての白百合などの切り花は、従来から、生け花用、頭飾用などの各種の用途に供せられている。そして、このような切り花は、それ自体ですでに高い装飾性を有している。
【考案の開示】
【考案が解決しようとする課題】
【０００３】
しかし、白百合などの切り花を例えば比較的薄暗いパーティー会場などに生けた場合には、それ自体で高い装飾性を有している天然の切り花であっても、その高い装飾性が十分には発揮されなくなる場合がある。
【０００４】
本考案は、上述のような従来の欠点を是正すべく考案されたものであって、比較的薄暗いパーティー会場であっても、比較的明るい場所であっても、天然の顕花植物の装飾性を比較的簡単にかつ比較的安価に高めることができるようにするために、考案されたものである。
【課題を解決するための手段】
【０００５】
本考案は、その第１の観点によれば、天然の花を付けている天然の顕花植物と、上記天然の花の花弁の内側表面および外側表面のうちの少なくとも一方の表面に取り付けられている多数個（換言すれば、３個以上）の模造宝玉とを備え、上記模造宝玉の取り付け個数は、上記花弁を平面的に展開した状態において、上記花弁の上記少なくとも一方の表面全体における単位面積１００ｃｍ２当たり４〜３６個の範囲であることを特徴とする、装飾された天然の顕花植物に係るものである。この場合、上記模造宝玉の取り付け個数は、上記花弁を平面的に展開した状態において、上記花弁の上記少なくとも一方の表面全体における単位面積１００ｃｍ２当たり８〜２０個の範囲であるのがさらに好ましく、１０〜１８個の範囲であるのが特に好ましい。
【０００６】
また、本考案は、その第２の観点によれば、天然の花を付けている天然の顕花植物と、上記天然の花の花弁の内側表面および外側表面のうちの少なくとも一方の表面に取り付けられている多数個の模造宝玉とを備え、上記模造宝玉の取り付け個数は、上記花弁を平面的に展開した状態において、上記花弁の基端側の部分を除く上記少なくとも一方の表面全体における単位面積１００ｃｍ２当たり５〜４５個の範囲であることを特徴とする、装飾された天然の顕花植物に係るものである。この場合、上記模造宝玉の取り付け個数は、上記花弁を平面的に展開した状態において、上記花弁の上記基端側の部分を除く上記少なくとも一方の表面全体における単位面積１００ｃｍ２当たり１０〜２５個の範囲であるのがさらに好ましく、１２〜２０個の範囲であるのが特に好ましい。なお、上記基端側の部分とは、花弁の基端側から先端側へと延在する花弁の中心線の長さをＬ１としたときに、花弁の基端から０．２Ｌ１〜０．５Ｌ１の範囲のうちのいずれかの値までであってよい。
【０００７】
本考案の上記第１および第２の観点においては、上記模造宝玉がラインストーンであることができる。また、本考案の上記第１および第２の観点においては、上記模造宝玉の取り付け個数は、実用性の観点から見て一般的に、上記天然の花１つ当たり１０個以上であるのが好ましく、１５個以上であるのがさらに好ましく、２０個以上であるのが特に好ましい。また、本考案の上記第１および第２の観点においては、上記天然の顕花植物が生け花用の切り花であることができる。さらに、本考案の上記第１および第２の観点においては、天然の花は、薄暗い場所でも映えるように、白色系統であるのが好ましい。
【０００８】
また、本考案の上記第１および第２の観点においては、個々の模造宝玉のカラット数は、実用性の観点から見て一般的に、０．０５〜２０カラットの範囲であるのが好ましく、０．１〜１５カラットの範囲であるのがさらに好ましく、０．３〜１０カラットの範囲であるのが特に好ましい。さらに、個々の模造宝玉の直径または長径は、実用性の観点から見て一般的に、１〜１２ｍｍの範囲であるのが好ましく、１．５〜８．５ｍｍの範囲であるのがさらに好ましく、２〜６ｍｍの範囲であるのが特に好ましい。
【考案の効果】
【０００９】
本考案によれば、比較的薄暗い場所であっても、比較的明るい場所であっても、天然の顕花植物の装飾性を比較的簡単にかつ比較的安価に高めることができる。
【００１０】
また、請求項３および４に記載の考案によれば、天然の顕花植物の天然の花のうちの特に必要な箇所のみに模造宝玉を配置することができるから、天然の顕花植物の装飾性をさらに簡単にかつさらに安価に高めることができる。
【００１１】
また、請求項５に記載の考案によれば、ラインストーンが装飾性に富んでいるだけでなく、安価で取扱いが簡単であるから、天然の顕花植物の装飾性のさらなる向上を一層安価にかつ一層簡単に達成することができる。
【００１２】
さらに、請求項６に記載の考案によれば、比較的薄暗い場所であっても、比較的明るい場所であっても、天然の顕花植物から成る切り花を生けた生け花の装飾性を比較的簡単にかつ比較的安価に高めることができる。
【考案を実施するための最良の形態】
【００１３】
つぎに、天然の顕花植物としての白百合の切り花を用いた生け花に本考案を適用した実施例を、図面を参照しつつ説明する。
【００１４】
図１に示す生け花１１は、花器としてのほぼ壺形の陶磁器製花瓶１２と、白百合の切り花１３と、この切り花１３のうちのほぼ満開の花１４に取り付けられた多数個のラインストーン１５とを備えている。そして、切り花１３は、図１〜図３に示すように、茎１６、葉１７、つぼみ１８、少し開きかけたつぼみ１９、ほぼ満開の花１３、雌しべ２１および雄しべ２２を備えていてよい。また、切り花１３は、白百合などの百合以外のものであってもよいから、萼などのような上記の部分以外の部分を含むことができる。なお、花器としての花瓶１２および白百合の切り花１３は周知のものであってよいから、以下において、主として、多数個のラインストーン１５が取り付けられたほぼ満開の花１４について詳細に説明する。
【００１５】
図２に示すほぼ満開の花１４の全部（図２に示す場合には、６枚）の花弁２３の表面（具体的には、内側表面）には、多数個のラインストーン１５が、図３（この図３においては、図示の都合上、ラインストーン１５の個数を１／２にして示している。）に示すように、ほぼ不規則に配置されてそれぞれ取り付けられている。なお、ラインストーン１５のそれぞれは、ルース（すなわち、裸石）のままであってよい。そして、ラインストーン１５のそれぞれのカラット数は、実用性の観点から見て一般的に、０．０５〜２０カラットの範囲であるのが好ましく、０．１〜１５カラットの範囲であるのがさらに好ましく、０．３〜１０カラットの範囲であるのが特に好ましい。また、ラインストーン１５のそれぞれの平面的に見た直径または長径Ｄ１は、実用性の観点から見て一般的に、１〜１２ｍｍの範囲であるのが好ましく、１．５〜８．５ｍｍの範囲であるのがさらに好ましく、２〜６ｍｍの範囲であるのが特に好ましい。さらに、模造宝石としてのラインストーン１５のそれぞれは、図４に示すように、ほぼ円柱形状の基部１５ａと、この基部１５ａ上に一体的に結合されている上部１５ｂとから成っていてよい。そして、この上部１５ｂは、その表面がファセットカットされたほぼ円錐台形状に構成されていてよい。また、基部１５ａの上面と上部１５ｂの下面とが互いにほぼ同形で段差が生じないように連続的に連なっていてよい。
【００１６】
図示の実施例においては、花弁２３の表面におけるラインストーン１５の取り付け箇所は、図３に示すように、花弁２３の基端側の部分２３ａを除く中間部分２３ｂおよび先端側の部分２３ｃに限られている。この場合、基端側の部分２３ａとは、花弁２３の左右両側の基端２４ａ、２４ｂ側から先端２５側に向かって延在している花弁２３の中心線２６の長さをＬ１とすると、基端２４ａ、２４ｂ側から先端２５側に０．４Ｌ１の長さ（すなわち、Ｌ２）で延在している花弁２３の部分を意味している。そして、中間部分２３ｂとは、基端側の部分２３ａと先端側の部分２３ｃとの間に延在している花弁２３の部分を意味している。また、花弁２３の最大幅は、図３においてＷ１で示されている。
【００１７】
図３に示す花弁２３の中間部分２３ｂおよび先端側の部分２３ｃの表面の面積は、実際には、約１６４ｃｍ２である。そして、花弁２３の中間部分２３ｂと先端側の部分２３ｃとの両方の部分の表面には、図３に示す場合には、１２個のラインストーン１５が取り付けられているが、実際には、２４個のラインストーン１５が取り付けられている。したがって、花弁２３の中間部分２３ｂと先端側の部分２３ｃとの両方の部分の表面における単位面積１００ｃｍ２当たりのラインストーン１５の取り付け個数（実際の取り付け個数―以下、同じ）は、約１４．５個である。そして、花弁２３の中間部分２３ｂと先端側の部分２３ｃとの両方の部分の表面における単位面積１００ｃｍ２当たりのラインストーン１５の取り付け個数は、実用性の観点から見て一般的に、５〜４５個の範囲であるのが好ましく、１０〜２５個の範囲であるのがさらに好ましく、１２〜２０個の範囲であるのが特に好ましい。また、花弁２３の表面全体における単位面積１００ｃｍ２当たりのラインストーン１５の取り付け個数は、実際には、１１．５個である。そして、花弁２３の表面全体における単位面積１００ｃｍ２当たりのラインストーン１５の取り付け個数は、実用性の観点から見て一般的に、４〜３６個の範囲であるのが好ましく、８〜２０個の範囲であるのがさらに好ましく、１０個〜１８個の範囲であるのが特に好ましい。
【００１８】
図４には、ラインストーン１５を接着剤２５でもって花弁２３の表面に取り付けた状態が明示されている。この場合、接着剤２５としては、アクリルコポリマーを酢酸エチル、２−プロパノール、ヘプタンおよびトルエンに溶解した医療用（換言すれば、心電図電極や手術用電極に用いるためのもの）などの粘着性接着剤を用いることができる。そして、個々のラインストーン１５の底面側に手作業でもって粘着性接着剤２５を塗布してから、これらのラインストーン１５を底面側を手作業でもって花弁２３の表面のほぼ所定の箇所に取り付けることによって、個々のラインストーン１５を粘着性接着剤２５でもって花弁２３の表面に粘着させればよい。また、切り花１４が装飾用としての寿命を全うしたときには、必要がある場合には、個々のラインストーン１５を花弁２３の表面から引き離す力を手作業で加えれば、ラインストーン１５を花弁２３の表面からそれぞれ取り外すことができる。
【００１９】
図５には、複数個のラインストーン１５を花弁２３にほぼ同時に取り付ける手順の一例が順次示されている。そして、この手順においては、まず、図５（ａ）に示すように、上記粘着性接着剤などから成る接着剤層２７をそれらの底面に形成された複数個のラインストーン１５が保護シートとしての剥離紙３１の内側面上にそれぞれ配置される。なお、この配置状態は、複数個のラインストーン１５が花弁２３の表面上に配置されるときの図３に示すような配置状態と実質的に同一であってよい。そして、シリコーン粘着性接着剤などから成る接着剤がその内側面に塗布されたキャリアフィルム３２が、複数個のラインストーン１５の上面に載置されることによって、ポリエステル樹脂などの薄層から構成されていて比較的柔軟性のあるキャリアフィルム３２が、複数個のラインストーン１５の上面に粘着される。この場合、個々のラインストーン１５は、ほぼ円柱形状の基部１５ａと、この基部１５ａ上に一体的に結合されている上部１５ｂとから成っていてよい。そして、この上部１５ｂは、その表面がファセットカットされたほぼ円錐台形状に構成されていてよい。また、基部１５ａの上面と上部１５ｂの下面とが互いにほぼ同形で段差が生じないように連続的に連なっていてよい。なお、複数個のラインストーン１５は、図５（ａ）に示す保管状態でもって、手軽に持ち運びされることができる。
【００２０】
図５（ａ）に示す保管状態になっている複数個のラインストーン１５を図３および図４に示すように花弁２３に取り付けるときには、まず、図５（ｂ）に示すように、剥離紙３１を接着剤層２７から取り外す。そして、図５（ｃ）に示す状態を経て、剥離紙３１の代わりに、花弁２３の表面を接着剤層２７にあてがうことによって、図５（ｄ）に示すように、これらの接着剤層２７を花弁２３の表面に粘着させる。ついで、図５（ｅ）に示すように、複数個のラインストーン１５の上面からキャリアフィルム３２を取り外すことによって、図５（ｆ）に示すように、花弁２３に接着剤層２７によって複数個のラインストーン１５が取り付けられている切り花１３を得ることができる。なお、図５（ｆ）に示す花弁２３は、図３および図４に示す花弁２３と実質的に同一のものであってよい。
【００２１】
図６には、複数個のラインストーン１５を花弁２３にほぼ同時に取り付ける手順の別の一例が示されている。なお、この図６に示す第２の例における手順は、多少の相違点を除いて、図５に示す上述の第１の例における手順と実質的に同一であってよい。したがって、図６において、図５と共通の部分には、同一の符号を付して、その説明を必要に応じて省略する。
【００２２】
図５に示す上述の第１の例においては用いられていない補助シートとしての剥離紙３３が、図６に示す第２の例においては用いられている。そして、この補助シート３３は、ポリエステル樹脂などの薄層から構成されるとともにラインストーン１５の上部１５ｂの先端部を嵌合させることができる複数個の貫通孔３４が形成されている。なお、これら複数個の貫通孔３４の配置状態は、複数個のラインストーン１５が花弁２３の表面上に配置されるときの図３に示すような配置状態と実質的に同一であってよい。
【００２３】
複数個のラインストーン１５は、それらの先端部が複数個の貫通孔３４にそれぞれ嵌合するように、内側面を上側にした補助シート３３の内側面上にそれぞれ配置される。したがって、この配置状態は、複数個のラインストーン１５が花弁２３の表面上に配置されるときの図３に示すような配置状態と実質的に同一になる。ついで、保護シート３１を補助シート３３の外側面に重ね合わせて粘着させる。
【００２４】
ついで、保護シート３１、複数個のラインストーン１５および補助シート３３の組み合わせ体の上下を逆にする。ついで、キャリアフィルム３２を補助シート３３の外側面に図６（ａ）に示すように重ね合わせて粘着させる。なお、図６（ａ）に示す状態は、複数個のラインストーン１５の保管状態であってよい。
【００２５】
図６（ａ）に示す保管状態において、複数個のラインストーン１５を図３および図４に示すように花弁２３に取り付けるときには、図５（ｂ）〜図５（ｄ）に示す場合と同様の状態を示す図６（ｂ）〜図６（ｄ）に示すように、保護シート３１と花弁２３とを入れ換える。ついで、図６（ｅ）および図６（ｆ）に示すように、キャリアフィルム３２を補助シート３３から引き剥がしてから、補助シート３３を複数個のラインストーン１５から引き剥がすと、図６（ｇ）に示すように、複数個のラインストーン１５が接着剤層２７でもって花弁２３に取り付けられている切り花１３を得ることができる。
【００２６】
以上において、本考案の実施例について詳細に説明したが、本考案は、上述の実施例に限定されるものではなく、実用新案登録請求の範囲に記載された考案の趣旨に基づいて各種の変更および修正が可能である。
【００２７】
例えば、上述の実施例においては、天然の顕花植物としての生け花用切り花１３に本考案を適用したが、かんざし型などの頭飾用切り花、神前用または仏前用の切り花、鉢植えの顕花植物、花壇または庭園あるいは畑に植えられている顕花植物などにも本考案を適用することができる。
【００２８】
また、上述の実施例においては、生花に本考案を適用したが、本考案はプリザーブドフラワーなどの他の天然の顕花植物にも適用することができる。
【００２９】
また、上述の実施例においては、ラインストーン１５を花弁２３に取り付けるようにしたが、花弁２３に取り付けられる模造宝玉は、ラインストーン１５以外の模造ダイヤモンド、その他の模造宝玉であることができる。
【００３０】
また、上述の実施例においては、花弁２３に取り付けられる複数個の配置状態をほぼ不規則的なものにしたが、碁盤の目状、市松模様状、その他の各種の規則的な配置状態であってもよい。
【００３１】
また、上述の実施例においては、ラインストーン１５を花弁２３の内側表面に取り付けるようにしたが、花弁２３の内側表面に代えてまたは内側表面に加えて外側表面にも取り付けることができる。
【００３２】
また、上述の実施例においては、ラインストーン１５を取り付ける天然の顕花植物を白百合としたが、白百合以外の百合や、百合以外のチューリップ、蓮、蘭などのような露路栽培、温室栽培などの各種の天然の顕花植物にも、本考案を適用することができる。なお、チューリップの場合には、一般的には、花弁２３の外側表面にラインストーン１５を取り付けるのが好ましい。
【００３３】
また、上述の実施例においては、ラインストーン１５を粘着性接着剤２７でもって花弁２３に取り付けるようにしたが、溶融接着剤などの通常の接着剤や通常の粘着剤でもって取り付けるようにしてもよい。
【００３４】
さらに、上述の実施例においては、個々のラインストーン１５をほぼ円柱形状の基部１５ａとほぼ円錐台形状の上部１５ｂとから構成したが、ほぼ円錐台形状の上部１５ｂとほぼ逆円錐台形状の基部１５ａとから全体としてラウンド形状に構成されるとともに全体がファセットカットされていてもよい。
【図面の簡単な説明】
【００３５】
【図１】白百合の切り花を用いた生け花に本考案を適用した実施例における生け花全体の斜視図である。（実施例１）
【図２】図１に示す白百合の切り花のうちのほぼ満開の花のみの斜視図である。（実施例１）
【図３】図２に示すほぼ満開の花のうちの１枚の花弁およびその近傍を、花弁を平面的に展開して示す平面図である。（実施例１）
【図４】図３に示す１個のラインストーンおよびその近傍を、花弁を縦断して示す側面図である。（実施例１）
【図５】花弁に複数個のラインストーンをほぼ同時に取り付ける手順の一例を順次示す概略的な側面図である。（実施例２）
【図６】花弁に複数個のラインストーンをほぼ同時に取り付ける手順の別の一例を順次示す概略的な側面図である。（実施例３）
【符号の説明】
【００３６】
１３    白百合の切り花（天然の顕花植物、生け花用の切り花）
１４    ほぼ満開の花（天然の花）
１５    ラインストーン（模造宝玉）
２３    花弁
２３ａ  基端側の部分
【図１】
0003148583.tif 000003
【図２】
0003148583.tif 000004
【図３】
0003148583.tif 000005
【図４】
0003148583.tif 000006
【図５】
0003148583.tif 000007
【図６】
0003148583.tif 000008